(57)【要約】      （修正有）【課題】簡便な構成により、様々な配光特性を有する高輝度の光を、広範囲に亘り立体的に導出させて、周囲を照明することができる受付台装置を提供する。【解決手段】受付台装置１は、受付台５５と底台５４の間に発光部１０を有する。前記受付台と前記底台の間に、面状に発光する複数の前記発光部を所定の配列で回動可能に保持する筐体部を有し、前記発光部は、線状に設けられた光源と、板状から成り入射面から入射させた前記光源の光を該入射面に隣接した主面から導出させる導光板３０と、前記光源と前記導光板を保持する連結部材とを備える。前記連結部材の支持部材（上部支持部材及び下部支持部材）には、前記導光板のいずれか一端又は両端に前記光源が設けられ、且つ前記支持部材（上部支持部材及び下部支持部材）に突出された回転軸を設ける。【選択図】図１
0003171662.tif 000002
【実用新案登録請求の範囲】
【請求項１】
受付台と底台の間に発光部を有する受付台装置において、
前記受付台と前記底台の間に、面状に発光する複数の前記発光部を所定の配列で回動可能に保持する筐体部を有し、
前記発光部は、
線状に設けられた光源と、
板状から成り入射面から入射させた前記光源の光を該入射面に隣接した主面から導出させる導光板と、
前記光源と前記導光板を保持する連結部材とが設けられ、
前記連結部材の支持部材には、前記導光板のいずれか一端又は両端に前記光源が設けられ、且つ前記支持部材に突出された回転軸が設けられていること
を特徴とする受付台装置。
【請求項２】
複数の前記発光部は、前記支持部材の前記回転軸を中心として異なる角度で前記筺体によって保持されていること
を特徴とする請求項１に記載の受付台装置。
【請求項３】
前記導光板は、可視光領域において透明であること
を特徴とする請求項１に記載の受付台装置。
【請求項４】
前記導光板の前記主面に、凹部又は凸部がマトリクス状に形成されていること
を特徴とする請求項１に記載の受付台装置。
【請求項５】
前記発光部は、前記受付台の下方、且つ背板の前方であって、垂直方向に並列して設けられていること
を特徴とする請求項１に記載の受付台装置。
【考案の詳細な説明】
【技術分野】
【０００１】
本考案は、周囲を照明する受付台装置に関する。
【背景技術】
【０００２】
従来、面発光機能を備えた建築用壁パネルに関し、壁パネルの表面層が、光透過性を有する光透過性表面材からなり、該光透過性表面材の裏面側に透明な導光板を配置し、該導光板の上下方向の両端面側にそれぞれ光源を配置し、該導光板の表面を光出射面とし、該導光板の裏面側に、上記光源から導光板内部に入射した光を光出射面に向かって拡散させる導光パターン上下方向に亘るように設けた構成がある（例えば、特許文献１参照。）。
【０００３】
また、安価に良好な四角配光を得る四角配光反射板および四角配光用照明器具に関し、ランプを覆い、略円形開口の開口部と頂上部とを有する略笠状をなし、頂上部と開口部縁端を結ぶ略弧状の複数の部分反射板を前記ランプのランプ軸のまわりに配列し、ランプからの入射光を反射して前記ランプ軸に直交する机上面を略四角形状に配光する四角配光反射板で、反射光が机上面で略四角形の角部を含む配光形状となるように照射され、ランプ軸のまわりに略９０度間隔で配置される第１の部分反射板と、反射光が机上面で略四角形の辺部を含む配光形状となるように照射され、第１の部分反射板間に第１の部分反射板とは反射光方向とランプ軸とのなす角度が異なる第１以外の複数の部分反射板とを備えた構成がある（例えば、特許文献２参照。）。
【先行技術文献】
【特許文献】
【０００４】
【特許文献１】特開２０１０−２２９６９３号公報
【特許文献２】特開２００６−２３６８１４号公報
【考案の概要】
【考案が解決しようとする課題】
【０００５】
しかしながら、前述の構成では、様々な配光特性を有する光を、広範囲に亘り立体的に導出させて、周囲を照明することが困難であるという問題があった。
【０００６】
そこで、本考案は前述の技術的な課題に鑑み、簡便な構成により、様々な配光特性を有する高輝度の光を、広範囲に亘り立体的に導出させて、周囲を照明することができる受付台装置の提供を目的とする。
【課題を解決するための手段】
【０００７】
前述の課題を解決すべく、本考案に係る受付台装置は、受付台と底台の間に発光部を有する受付台装置において、前記受付台と前記底台の間に、面状に発光する複数の前記発光部を所定の配列で回動可能に保持する筐体部を有し、前記発光部は、線状に設けられた光源と、板状から成り入射面から入射させた前記光源の光を該入射面に隣接した主面から導出させる導光板と、前記光源と前記導光板を保持する連結部材とが設けられ、前記連結部材の支持部材（上部支持部材及び下部支持部材）には、前記導光板のいずれか一端又は両端に前記光源が設けられ、且つ前記支持部材（上部支持部材及び下部支持部材）に突出された回転軸が設けられていることを特徴とする。
【考案の効果】
【０００８】
本考案に係る受付台装置によれば、簡便な構成により、様々な配光特性を有する高輝度の光を、広範囲に亘り立体的に導出させて、周囲を照明することができる。
【図面の簡単な説明】
【０００９】
【図１】本考案の第１の実施形態に係る受付台装置１を示す斜視図であり、（ａ）は受付台装置１を正面から示す斜視図、（ｂ）は受付台装置１を側面から示し且つ裏面の一部が視認されている状態の斜視図である。
【図２】本考案の第１の実施形態に係る受付台装置１を構成毎に分解して示す分解斜視図である。
【図３】本考案の第１の実施形態に係る受付台装置１の発光部１０の一部及び筐体部５０の一部を分解して示す分解斜視図である。
【図４】本考案の第１の実施形態に係る受付台装置１の発光部１０の上端を示す図であり、（ａ）は発光部１０の上端を分解して示す分解斜視図、（ｂ）は発光部１０の上端を示す側面図である。
【図５】本考案の第１の実施形態に係る受付台装置１の発光部１０の下端を示す図であり、（ａ）は発光部１０の下端を分解して示す分解斜視図、（ｂ）は発光部１０の下端を示す側面図である。
【図６】本考案の第１の実施形態に係る受付台装置１の複数の発光部１０を異なる角度で配設した状態を示す斜視図であり、（ａ）は隣接する発光部１０に対して相対的に角度を異ならした複数の発光部１０を示す斜視図、（ｂ）はランダムに角度を異ならした複数の発光部１０を示す斜視図である。
【考案を実施するための形態】
【００１０】
以下、本考案に係る好適な実施形態について、図面を参照しながら説明する。具体的には、本考案に係る受付台装置１について、図１乃至６を参照しながら説明する。なお、本考案の受付台装置１は、以下に記述した構成に限定されるものではなく、本考案の要旨を逸脱しない範囲において、適宜変更可能である。また、受付台装置１を構成する各構成部材の材質及び形状等は、一例であり、他の材質及び形状等に適宜変更可能である。
【００１１】
また、以下の説明においては、最初に本考案の第１の実施形態に係る受付台装置１について図１乃至図６を参照しながら説明する。次に本考案の第１の実施形態に係る受付台装置１に設けられた導光板３０の製造方法について説明する。最後に本考案の第１の実施形態に係る受付台装置１の構成と主な作用効果について請求項毎に説明する。
【００１２】
［第１の実施形態］
本考案に係る受付台装置１は、図１に示すように、簡便な構成により、複数の導光板３０を用いて、様々な配光特性を有する高輝度の光を、広範囲に亘り立体的に導出させて、周囲を照明することができる。以下、本考案に係る受付台装置１の構成について、図１乃至図６を参照しながら具体的に説明する。
【００１３】
発光部１０は、後述する筐体部５０に複数保持され。面状に発光する。この様な発光部１０は、線状に設けられた光源２０と、板状から成り入射面３０ｅから入射させた光源１０の光を該入射面３０ｅに隣接した主面３０ａ及び３０ｂから導出させる導光板３０と、光源２０と導光板３０を保持する連結部材４０とが設けられている。以下、発光部１０の各構成について、順に説明する。
【００１４】
発光部１０の光源２０は、例えば図４に示すように、線状に延在されている。
【００１５】
この様な光源２０は、複数のＬＥＤ２１及び該複数のＬＥＤ２１を所定の間隔で実装する基板２２から構成されている。以下、受付台装置１に設けられた光源２０の各構成部材について順に説明する。光源２０のＬＥＤ２１は、表面実装型の発光ダイオード（ＬＥＤ：Ｌｉｇｈｔ  Ｅｍｉｔｔｉｎｇ  Ｄｉｏｄｅ）から成り、後述する基板２２に所定の間隔で複数実装されている。ここで、ＬＥＤ２１の発光波長は、可視光領域の白色、赤色、橙色、黄色、緑色、青色、藍色又は紫色のいずれかの色に相当する波長から選択する。また、ＬＥＤの発光波長は、可視光領域に限定されることはなく、紫外域の波長を選択した上で、後述する導光板３０により可視光領域の蛍光を発生させて導出させる構成としても良い。なお、ＬＥＤ２１に換えて、有機発光ダイオード、蛍光管、冷陰極管、白熱電球又はネオン管等を用いても良い。また、後述する複数の導光板３０に、それぞれ異なる発光波長のＬＥＤ２１を設けても良い。また、光源２０の基板２２は、板状に形成されたガラスエポキシ基板から成り、ＬＥＤ２１が所定の間隔で複数実装されている。ここで、基板２２の形状は、後述する導光板３０の入射面３０ｅの形状と同等又は若干短い。また、図示せぬ配線が、基板２２に設けられた電極に半田付けされ、その配線を介して外部から複数のＬＥＤ２１に駆動電力が供給される。
【００１６】
発光部１０の導光板３０は、例えば図４に示すように、板状から成り入射面３０ｅから入射させたＬＥＤ２１の光を該入射面３０ｅに隣接した主面である一主面３０ａ及び他主面３０ｂから導出させる。
【００１７】
この様な導光板３０は、図４及び図５に示すように、アクリル酸又はメタクリル酸を重合して形成したアクリル樹脂又はポリカーボネイト等、可視光領域で透明な樹脂板から成る。また、導光板３０は、大型で長尺から成る板状に形成され、その短手方向の片側に光の入射面３０ｅが形成されている。ここで、導光板３０の入射面３０ｅから入射したＬＥＤ２１の光は、導光板３０の内部を伝播した後、該導光板３０の内部から一主面３０ａ及び他主面３０ｂを介して外部に導出される。さらに、導光板３０の一主面３０ａに、ＬＥＤ２１の光を拡散光として導出させる凹部３０ｃがマトリクス状に形成されている。同様に、導光板３０の他主面３０ｂに、ＬＥＤ２１の光を拡散光として導出させる凹部３０ｄがマトリクス状に形成されている。また、導光板３０の一主面３０ａにマトリクス状に形成された凹部３０ｃと、他主面３０ｂにマトリクス状に形成された凹部３０ｄは、その位置が相対的に半ピッチずれている。ここで、導光板３０の一主面３０ａに形成された複数の凹部３０ｃで発生した拡散光の大部分は、略均一な面発光の光として導光板３０の他主面３０ｂから導出される。同様に、導光板３０の他主面３０ｂに形成された複数の凹部３０ｄで発生した拡散光の大部分は、略均一な面発光の光として導光板３０の一主面３０ａから導出される。また、図１及び図２に示す複数の導光板３０は、後述する連結部材４０に沿って、基本的に同一の角度で配設されている。しかしながら、この様な構成に限定されることはなく、図６（ａ）に示すように、隣接する導光板３０に対して相対的に角度を異ならして複数の導光板３０を配設しても良い。同様に、図６（ｂ）に示すように、ランダムに角度を異ならして複数の導光板３０を配設しても良い。
【００１８】
なお、導光板３０の一主面３０ａの凹部３０ｃの深さと他主面３０ｂの凹部３０ｄの深さを、それぞれ入射面３０ｅから離間する毎に深くなるように形成しても良い。この様に凹部３０ｃ及び凹部３０ｄを形成することにより、導光板３０の入射面３０ｅから入射されたＬＥＤ２１の光の光量が、入射面３０ｅから離間する毎に減少しても、入射面３０ｅから離間する毎に凹部３０ｃ及び凹部３０ｄの形状が大きくなるため、凹部３０ｃ及び凹部３０ｄで発生する拡散光の光量の減少を抑制することができる。したがって、導光板３０が大型で且つ長尺であり、導光板３０の短手方向にＬＥＤ２１を配置するような場合であっても、該導光板３０の入射面３０ｅからの距離によらず、導光板３０の一主面３０ａ及び他主面３０ｂから均一な面発光を導出させることができる。また、導光板３０の一主面３０ａ及び他主面３０ｂに、凸部をマトリクス状に形成しても、凹部をマトリクス状に形成した場合と同様に、拡散光を発生させることができる。また、導光板３０は、可視光領域で透明な樹脂板として説明したが、青色や赤色等に着色された樹脂板を用いても良い。また、導光板３０には、光を照射されることにより拡散光を発する微粒子状の拡散部材を添加した樹脂板を用いても良い。さらに、導光板３０には、紫外域や可視光領域の光を照射されることにより蛍光を発する蛍光剤を塗布又は添加した樹脂板を用いても良い。なお、図１、図２及び図６に図示された導光板３０については、描写が細かくなり本考案の各構造の判別が妨げられることを防止するために、それぞれ凹部を省略している。
【００１９】
発光部１０の連結部材４０は、例えば図４及び図５に示すように、光源２０及び導光板３０を保持する。
【００２０】
この様な連結部材４０は、ＬＥＤ２１を実装した基板２２を内蔵した状態で導光板３０の上端を挟み込んで保持する接続部材４１、接続部材４１を介して導光板３０の上部の中央を支持する上部支持部材４２、上部支持部材４２に収納され且つ導光板３０の一主面３０ａの上端を押圧する当板４３、上部支持部材４２に収納され且つ導光板３０の他主面３０ｂの上端を付勢するゴム材４４、当板４３及び４７に押圧するセットスクリュ４５、導光板３０の下部の中央を支持する下部支持部材４６、下部支持部材４６の内側に配設され且つ導光板３０の一主面３０ａの下端を押圧する当板４７、及び下部支持部材４６の内側に配設され且つ導光板３０の他主面３０ｂの下端を付勢するゴム材４８から構成されている。以下、受付台装置１に設けられた連結部材４０の各構成部材について順に説明する。
【００２１】
連結部材４０の接続部材４１は、図４に示すように、ＬＥＤ２１を実装した基板２２を内蔵した状態で導光板３０の上端を挟み込んで保持している。この様な接続部材４１は、コの字状の押し型で押し出されたアルミニウム合金である。また、接続部材４１に係る図４（ａ）中のＸ軸方向の長さは、導光板３０の入射面３０ｅに係るＸ軸方向の長さよりも若干短く形成されている。また、接続部材４１の連結上面４１ａの一端には、該連結上面４１ａに対して直角に屈折した一連結側面４１ｂが形成されている。同様に、接続部材４１の連結上面４１ａの他端には、該連結上面４１ａに対して直角に屈折した他連結側面４１ｃが形成されている。なお、接続部材４１の一連結側面４１ｂと他連結側面４１ｃは、図４（ａ）中のＹ軸方向に相当する導光板３０の厚みよりも若干広い間隔で対向して設けられている。ここで、断面がコの字状に形成された接続部材４１の内部の連結上面４１ａには、ＬＥＤ２１を実装した基板２２が接着剤で固定されている。さらに、接続部材４１は、一連結側面４１ｂ及び他連結側面４１ｃを用いて、導光板３０の入射面３０ｅ側の上端を挟み込んで保持している。すなわち、接続部材４１は、一連結側面４１ｂで導光板３０の一主面３０ａを押圧し、且つ他連結側面４１ｃで導光板３０の他主面３０ｂを押圧した状態で、導光板３０に連結している。
【００２２】
連結部材４０の上部支持部材４２は、図４に示すように、接続部材４１を介して導光板３０の上部の中央を支持している。この様な上部支持部材４２は、ステンレスから成り、断面がコの字状に形成されている。また、上部支持部材４２に係る図４（ａ）中のＸ軸方向の長さは、接続部材４１のＸ軸方向の長さの１／３程度に形成されている。また、上部支持部材４２の上面を成す支持上面４２ａの一端には、該支持上面４２ａに対して直角に屈折した一支持側面４２ｂが形成されている。同様に、上部支持部材４２の支持上面４２ａの他端には、該支持上面４２ａに対して直角に屈折した他支持側面４２ｃが形成されている。なお、上部支持部材４２の一支持側面４２ｂと他支持側面４２ｃは、接続部材４１の連結上面４１ａの幅よりも少し長い距離を隔てて対向して設けられている。ここで、断面がコの字状に形成された上部支持部材４２の内部の支持上面４２ａには、接続部材４１の連結上面４１ａが当接している。さらに、上部支持部材４２は、一支持側面４２ｂ及び他支持側面４２ｃを用い、後述する当板４３及びゴム材４４を介して、導光板３０の入射面３０ｅ側の上部の中央を挟み込んで支持している。また、上部支持部材４２は、導光板３０に連結した接続部材４１の中央部分を覆った状態で、導光板３０を一主面３０ａ及び他主面３０ｂの両側から挟みこんでいる。すなわち、上部支持部材４２は、一支持側面４２ｂ側から後述する当板４３を介して導光板３０の一主面３０ａを押圧し、且つ他支持側面４２ｃ側から後述するゴム材４４を介して導光板３０の他主面３０ｂを付勢した状態で、導光板３０を支持している。また、円柱形状の回転軸４２ｅが、上部支持部材４２の支持上面４２ａから上方に突出して設けられ、図２の中央に図示された後述する回動支持部材５１乃至５３に挿入されている。
【００２３】
連結部材４０の当板４３は、図４に示すように、上部支持部材４２に収納され且つ導光板３０の一主面３０ａの上端を押圧している。この様な当板４３は、ステンレスから成り、上部支持部材４２の一支持側面４２ｂよりも十分に小さな板状に形成されている。また、当板４３は、上部支持部材４２の一支持側面４２ｂと導光板３０の一主面３０ａの上端との隙間に配設されている。ここで、セットスクリュ４５が、上部支持部材４２の一支持側面４２ｂの左右に２箇所形成されたネジ溝４２ｄに挿入されている。さらに、２個のセットスクリュ４５の先端が、当板４３の左右から導光板３０の一主面３０ａに対して押圧している。したがって、当板４３は、導光板３０の一主面３０ａの上端を押圧した状態で配設されている。また、ゴム材４４は、上部支持部材４２に収納され且つ導光板３０の他主面３０ｂの上端を付勢している。この様なゴム材４４は、図４に示すように、例えば硬質ゴムから成り、上部支持部材４２の他支持側面４２ｃよりも十分に小さな板状に形成されている。また、ゴム材４４は、当板４３が導光板３０の一主面３０ａから押圧しているため、上部支持部材４２の他支持側面４２ｃと導光板３０の他主面３０ｂとの隙間に密着されている。したがって、ゴム材４４は、結果的に導光板３０の他主面３０ｂの上端を付勢した状態で配設されている。
【００２４】
連結部材４０の下部支持部材４６は、図５に示すように、前述した図４に示す上部支持部材４２と基本的な構成は同様であり、導光板３０の下部の中央を支持している。この様な下部支持部材４６は、図５に示すように、ステンレスから成り、断面がコの字状に形成されている。また、下部支持部材４６に係る図５（ａ）中のＸ軸方向の長さは、導光板３０の入射面３０ｅに対向した端面３０ｆのＸ軸方向の長さの１／５程度に形成されている。また、下部支持部材４６の下面を成す支持下面４６ａの一端には、該支持下面４６ａに対して直角に屈折した一支持側面４６ｂが形成されている。同様に、下部支持部材４６の支持下面４６ａの他端には、該支持下面４６ａに対して直角に屈折した他支持側面４６ｃが形成されている。なお、下部支持部材４６の一支持側面４６ｂと他支持側面４６ｃは、図５（ａ）中のＹ軸方向に相当する導光板３０の厚みよりも少し長い距離を隔てて対向して設けられている。ここで、断面がコの字状に形成された下部支持部材４６の内部の支持下面４６ａには、導光板３０の端面３０ｆが当接している。さらに、下部支持部材４６は、一支持側面４６ｂ及び他支持側面４６ｃを用い、後述する当板４７及びゴム材４８を介して、導光板３０の端面３０ｆ側の中央を挟み込んで支持している。すなわち、下部支持部材４６は、他支持側面４６ｃ側から後述する当板４７を介して導光板３０の一主面３０ａを押圧し、且つ一支持側面４６ｂ側から後述するゴム材４８を介して導光板３０の他主面３０ｂを付勢した状態で、導光板３０を支持している。また、円柱形状の回転軸４６ｅが、下部支持部材４６の支持下面４６ａから下方に突出して設けられ、図２の下方に図示された後述する回動支持部材５１乃至５３に挿入されている。
【００２５】
連結部材４０の当板４７は、図５に示すように、前述した図４に示す当板４３と基本的な構成は同様であり、下部支持部材４６に収納され且つ導光板３０の一主面３０ａの下端を押圧した状態で配設されている。この様な当板４７は、ステンレスから成り、下部支持部材４６の一支持側面４６ｂよりも十分に小さな板状に形成されている。また、当板４７は、下部支持部材４６の他支持側面４６ｃと導光板３０の一主面３０ａの下端との隙間に配設されている。ここで、セットスクリュ４５が、下部支持部材４６の一支持側面４６ｂの中央に１箇所形成されたネジ溝４６ｄに挿入されている。さらに、セットスクリュ４５の先端が、当板４７の中央から導光板３０の一主面３０ａに対して押圧している。また、ゴム材４８は、図５に示すように、前述した図４に示すゴム材４４と基本的な構成は同様であり、下部支持部材４６に収納され且つ導光板３０の他主面３０ｂの下端を付勢した状態で配設されている。この様なゴム材４８は、例えば硬質ゴムから成り、下部支持部材４６の他支持側面４６ｃよりも十分に小さな板状に形成されている。ここで、ゴム材４８は、当板４７が導光板３０の一主面３０ａを押圧しているため、下部支持部材４６の他支持側面４６ｃと導光板３０の他主面３０ｂとの隙間に密着されている。したがって、ゴム材４８は、結果的に導光板３０の他主面３０ｂの下端を付勢した状態で配設されている。
【００２６】
受付台装置１に設けられた筐体部５０は、例えば図２及び図３に示すように、受付台５５と底台５４の間に、面状に発光する複数の発光部１０を所定の配列で回動可能に保持する。
【００２７】
この様な筐体部５０は、複数の発光部１０を回動可能に支持する回動支持部材５１乃至５３、複数の発光部１０の下方に配設される底台５４、複数の発光部１０の上方に配設される受付台５５、底台５４及び受付台５５の両端に壁面として設けられる側板５６、及び底台５４及び受付台５５の間に目隠しとして設けられる背板５７及び５８から構成されている。以下、受付台装置１に設けられた筐体部５０の各構成部材について順に説明する。筐体部５０の回動支持部材５１乃至５３は、図２に示すように、複数の発光部１０を回動可能に支持する。ここで、回動支持部材５１は、図２に示すように、上下に一組設けられている。また、回動支持部材５１は、図２に示すＬ字状に複数配設された発光部１０の中、中央に配設された１個の発光部１０を回動可能に支持している。この様な回動支持部材５１は、ステンレスから成り、中央に貫通孔５１ａが開口された円筒状に形成されている。ここで、回動支持部材５１は、後述するＬ字状に形成された底台５４の上面５４ａの中央に形成された固定穴５４ｂに埋設されている。この状態で、導光板３０の下部を支持する下部支持部材４６の回転軸４６ｅが、回動支持部材５１の貫通孔５１ａに回動可能に挿入されている。同様に、回動支持部材５１は、後述するＬ字状に形成された受付台５５の下面５５ａの中央に形成された固定穴５５ｂに固定されている。この状態で、導光板３０の上部を支持する上部支持部材４２の回転軸４２ｅが、回動支持部材５１の貫通孔５１ａに回動可能に挿入されている。
【００２８】
同様に、筐体部５０の回動支持部材５２は、図２の右側の領域に示すように、上下に一組設けられている。また、回動支持部材５２は、図２に示すＬ字状に複数配設された発光部１０の中、該Ｌ字状の屈折した部分よりも右側の領域に配設された合計１８個の発光部１０を回動可能に支持している。この様な回動支持部材５２は、ステンレスから成り、所定の間隔で合計１８個の貫通孔５２ａが開口され棒状に形成されている。ここで、回動支持部材５２は、後述するＬ字状に形成された底台５４の上面５４ａの右側の領域に設けられた固定穴５４ｃに埋設され、その両端が図示せぬネジによりネジ留めされている。この状態で、１８個の導光板３０の下部をそれぞれ支持する下部支持部材４６の回転軸４６ｅが、それぞれ回動支持部材５２の貫通孔５２ａに回動可能に挿入されている。同様に、回動支持部材５２は、後述するＬ字状に形成された受付台５５の下面５５ａ右側の領域に設けられた固定穴５５ｃに埋設されている。この状態で、１８個の導光板３０の上部を支持する上部支持部材４２の回転軸４２ｅが、それぞれ回動支持部材５２の貫通孔５２ａに回動可能に挿入されている。同様に、筐体部５０の回動支持部材５３は、図２の左側に示すように、上下に一組設けられている。ここで、回動支持部材５３は、回動支持部材５２と同様の構成から成る。また、回動支持部材５３は、図２に示すＬ字状に複数配設された発光部１０の中、該Ｌ字状の屈折した部分よりも左側の領域に配設された合計１４個の発光部１０を回動可能に支持している。ここで、回動支持部材５３は、Ｌ字状に形成された底台５４の上面５４ａの左側の領域に設けられた固定穴５４ｄと、Ｌ字状に形成された受付台５５の下面５５ａの左側の領域に設けられた固定穴５５ｄに、それぞれ埋設されている。
【００２９】
筐体部５０の底台５４は、図２に示すように、複数の照明の下方に配設されている。ここで、底台５４は、受付台装置１の底部に用いる。この様な底台５４は、木材から成り、Ｌ字形状の板から形成されている。また、底台５４の上面５４ａには、所定の深さから成る丸穴形状の固定穴５４ｂ、長方形状の固定穴５４ｃ及び長方形状の固定穴５４ｄが、それぞれ形成されている。この固定穴５４ｂ乃至５４ｄに、回動支持部材５１乃至５３が、それぞれ埋設されている。また、受付台５５は、図２に示すように、複数の発光部１０の上部に配設されている。ここで、受付台５５は、例えばパンフレットや展示品を載置するため、及び打ち合わせ時にメモを取るための台として用いる。この様な受付台５５は、木材から成り、Ｌ字形状の板から形成されている。また、受付台５５は、底台５４と比較して、奥行きが広く形成されており、十分な量の物品を載置できるようにしている。また、受付台５５の下面５５ａには、所定の深さから成る丸穴形状の固定穴５５ｂ、長方形状の固定穴５５ｃ及び長方形状の固定穴５５ｄが、それぞれ形成されている。この固定穴５５ｂ乃至５５ｄに、回動支持部材５１乃至５３が、それぞれ埋設されている。
【００３０】
筐体部５０の側板５６は、図２に示すように、一組から成り、底台５４及び受付台５５の両端に壁面として設けられ、受付台装置１全体の強度を担保している。この様な側板５６は、木材から成り、長形形状から形成されている。ここで、側板５６の上端面５６ａが受付台５５の両端に図示せぬネジでネジ留めされ、且つ側板５６の下端面５６ｂが底台５４の両端に図示せぬネジでネジ留めされている。また、背板５７及び５８は、図１及び図２に示すように、それぞれ、木材から成り、長方形状の薄板から形成されている。ここで、背板５７及び５８は、Ｌ字状に組み合わされ、受付台５５の下面５５ａに形成された溝５５ｅに差し込まれ、且つ一組の側板５６にそれぞれ形成された溝５６ｃに差し込まれた状態で、底台５４の裏面５４ｆに図示せぬネジでネジ留めされている。
【００３１】
以上、本考案の受付台装置１によれば、簡便な構成により、様々な配光特性を有する高輝度の光を、広範囲に亘り立体的に導出させて、周囲を照明することができる。
【００３２】
さらに、本考案の受付台装置１によれば、図４に示す上部支持部材４２の回転軸４２ｅ及び図５に示す下部支持部材４６の回転軸４６ｅを中心として、図６（ａ）に示すように複数の発光部１０を任意の角度でそれぞれ配設することができる。したがって、受付台装置１を配設する環境に合わせて、複数の発光部１０の角度を調整することにより、様々な配光特性を容易に得ることができる。なお、本考案の受付台装置１によれば、複数の発光部１０を異なる角度で保持し、所定の間隔で隣接する発光部１０に大小の隙間が生じても、図２に示す背板５７及び５８により目隠しされていることから、受付台装置１を図１（ａ）に示す正面から視認した人に、該受付台装置１の背後に載置された物品等を認識されない。
【００３３】
また、本考案の受付台装置１によれば、図６（ａ）に示すように隣接する発光部１０を相対的に角度を異ならして配設したり、図６（ｂ）に示すようにランダムに角度を異ならして複数の発光部１０を配設することにより、受付台装置１を視認した人が、複数の発光部１０を美観に優れた立体的な照明として認識することができる。
【００３４】
また、本考案の受付台装置１によれば、導光板３０が可視光領域で透明であることから、図３に示すように、導光板３０の一主面３０ａ越しに他主面３０ｂを視認することができる。さらに、導光板３０の一主面３０ａ越しに、隣接して設けられた他の導光板３０の一主面３０ａ等を視認することができる。したがって、受付台装置１を視認した人が、複数の導光板３０を立体的に認識することができる。
【００３５】
さらに、本考案の受付台装置１によれば、図３に示すように、導光板３０の一主面３０ａに形成された複数の凹部３０ｃで発生した拡散光の大部分を、略均一な面発光の光として導光板３０の他主面３０ｂから導出させることができる。同様に、導光板３０の他主面３０ｂに形成された複数の凹部３０ｄで発生した拡散光の大部分を、略均一な面発光の光として導光板３０の一主面３０ａから導出させることができる。
【００３６】
次に、本考案の第１の実施形態に係る受付台装置１に設けられた導光板３０の製造方法について、具体的に説明する。
【００３７】
導光板３０の製造方法には、超音波加工、加熱加工、切削加工、レーザ加工、成型加工及びシルク印刷加工を用いることができる。したがって、導光板３０の仕様やコスト及び必要数量等に応じて、各加工方法を選択することにより、凹部又は凸部を導光板３０の主面に精度良く安定的に形成することができる。以下、導光板３０の製造方法について詳細に説明する。超音波加工では、導光板３０の主面に当接させた超音波加工用ホーンの超音波の振動を用いて、導光板３０の主面を部分的に溶融させることにより、該主面に凹部を形成する。また、加熱加工では、導光板３０の主面に当接させた加工具の熱を用いて、導光板３０の主面を部分的に溶融させることにより、該主面に凹部を形成する。同様に、切削加工では、導光板３０の主面に当接しながら回転又は付勢させた切削工具を用いて、導光板３０の主面を部分的に削り取ることにより、該主面に凹部を形成する。同様に、レーザ加工では、導光板３０の主面に集光させたレーザ光の熱を用いて、導光板３０の主面を部分的に溶融させることにより、該主面に凹部を形成する。同様に、成型加工では、成型する導光板３０の外形形状を反映させた形状を金型の内部に形成し、射出成型機に装着した金型に対して加熱して軟化させた樹脂を注入してから、該樹脂を冷却させることにより、導光板３０の主面に凹部、凸部又は凹状及び凸部を形成する。
【００３８】
また、導光板３０の製造方法において、シルク印刷加工では、導光板３０の主面に対して所定の孔が開口した版を当接させ、孔を介して硬化性の樹脂を主面に付着させて、該主面を部分的に樹脂で被覆させることにより、該主面に凸部を形成する。また、成型加工又はシルク印刷加工に用いる導光板３０の基材である樹脂に、拡散光を発する微粒子状の拡散部材を添加しても良い。同様に、上述した超音波加工、加熱加工、切削加工又はレーザ加工を行う導光板３０の基材である樹脂に、拡散光を発する微粒子状の拡散部材を添加したものを用いても良い。なお、上述した超音波加工、加熱加工、切削加工、レーザ加工、成型加工及びシルク印刷加工を組み合わせて導光板３０を形成しても良い。また、成型加工により導光板３０の外形形状のみを形成した上で、超音波加工により導光板３０の主面に凹部を形成しても良い。同様に、成型加工により導光板３０の外形形状のみを形成した上で、シルク印刷加工により導光板３０の主面に凸部を形成しても良い。
【００３９】
最後に、本考案の第１の実施形態に係る受付台装置１の構成と主な作用効果について、請求項毎に具体的に説明する。
【００４０】
請求項１に記載の受付台装置１は、受付台と底台の間に発光部を有する受付台装置において、受付台５５と底台５４の間に、面状に発光する複数の発光部１０を所定の配列で回動可能に保持する筐体部５０を有し、発光部１０は、線状に設けられた光源２０と、板状から成り入射面３０ｅから入射させた光源１０の光を該入射面３０ｅに隣接した主面３０ａ及び３０ｂから導出させる導光板３０と、光源２０と導光板３０を保持する連結部材４０とが設けられ、連結部材４０の支持部材（上部支持部材４２及び下部支持部材４６）には、導光板３０のいずれか一端又は両端に光源２０が設けられ、且つ支持部材（上部支持部材４２及び下部支持部材４６）に突出された回転軸４２ｅ及び４６ｅが設けられていることを特徴としている。
【００４１】
この様な請求項１に記載の受付台装置１によれば、簡便な構成により、様々な配光特性を有する高輝度の光を、広範囲に亘り立体的に導出させて、周囲を照明することができる。
【００４２】
さらに、この様な請求項１に記載の受付台装置１によれば、例えば図６（ａ）に示すように、複数の発光部１０を任意の角度でそれぞれ配設することができる。したがって、受付台装置１を配設する環境に合わせて、複数の発光部１０の角度を調整することにより、様々な配光特性を容易に得ることができる。
【００４３】
請求項２に記載の受付台装置１は、請求項１に従属し、複数の発光部１０は、支持部材（上部支持部材４２及び下部支持部材４６）の回転軸４２ｅ及び４６ｅを中心として異なる角度で筺体によって保持されていることを特徴としている。
【００４４】
この様な請求項２に記載の受付台装置１によれば、例えば図４、図５及び図６（ａ）に示すように、支持部材（上部支持部材４２及び下部支持部材４６）の回転軸４２ｅ及び４６ｅを中心として、隣接する発光部１０にそれぞれ設けられた導光板３０に対して相対的に角度を異ならして複数の発光部１０を配設したり、図６（ｂ）に示すようにランダムに角度を異ならして複数の発光部１０を配設することにより、受付台装置１を視認した人が、複数の発光部１０を美観に優れた立体的な照明として認識することができる。
【００４５】
請求項３に記載の受付台装置１は、請求項１に従属し、導光板３０は、可視光領域で透明であることを特徴としている。
【００４６】
この様な請求項３に記載の受付台装置１によれば、例えば図３に示すように、導光板３０の一主面３０ａ越しに他主面３０ｂを視認することができる。さらに、導光板３０の一主面３０ａ越しに、隣接して設けられた他の導光板３０の一主面３０ａ等を視認することができる。したがって、受付台装置１を視認した人が、複数の導光板３０を立体的に認識することができる。
【００４７】
請求項４に記載の受付台装置１は、請求項１に従属し、導光板３０の主面３０ａ及び３０ｂに、凹部３０ｃ及び３０ｄ又は凸部がマトリクス状に形成されていることを特徴としている。
【００４８】
この様な請求項４に記載の受付台装置１によれば、例えば図３に示すように、導光板３０の一主面３０ａに形成された複数の凹部３０ｃで発生した拡散光の大部分を、略均一な面発光の光として導光板３０の他主面３０ｂから導出させることができる。同様に、導光板３０の他主面３０ｂに形成された複数の凹部３０ｄで発生した拡散光の大部分を、略均一な面発光の光として導光板３０の一主面３０ａから導出させることができる。
【００４９】
請求項５に記載の受付台装置１は、請求項１に従属し、発光部１０は、受付台５５の下方、且つ背板５７の前方であって、垂直方向に並列して設けられていることを特徴としている。
【００５０】
この様な請求項５に記載の受付台装置１によれば、図６（ａ）に示すように長尺から成る複数の発光部１０を縦長に配設することで、発光部１０のスペースを小さくした上で、発光領域を十分に確保することができる。
【符号の説明】
【００５１】
１  受付台装置、１０  発光部  １０、２０  光源、２１  ＬＥＤ、２２  基板、３０  導光板、３０ａ  一主面、３０ｂ  他主面、３０ｃ，３０ｄ  凹部、３０ｅ  入射面、３０ｆ、連結部材  ４０、  端面、４１  接続部材、４１ａ  連結上面、４１ｂ  一連結側面、４１ｃ  他連結側面、４２  上部支持部材、４２ａ  支持上面、４２ｂ  一支持側面、４２ｃ  他支持側面、４２ｄ  ネジ溝、４２ｅ  回転軸、４３  当板、４４  ゴム材、４５  セットスクリュ、４６  下部支持部材、４６ａ  支持下面、４６ｂ  一支持側面、４６ｃ  他支持側面、４６ｄ  ネジ溝、４６ｅ  回転軸、４７  当板、４８  ゴム材、筐体  ５０、５１，５２，５３  回動支持部材、５１ａ，５２ａ，５３ａ  貫通孔、５４  底台、５４ａ  上面、５４ｂ，５４ｃ，５４ｄ  固定穴、５４ｆ  裏面、５５  受付台、５５ａ  下面、５５ｂ，５５ｃ，５５ｄ  固定穴、５５ｅ  溝、５６  側板、５６ａ  上端面、５６ｂ  下端面、５６ｃ  溝、５７，５８  背板。
【図１】
0003171662.tif 000003
【図２】
0003171662.tif 000004
【図３】
0003171662.tif 000005
【図４】
0003171662.tif 000006
【図５】
0003171662.tif 000007
【図６】
0003171662.tif 000008